(57)【要約】【課題】照明装置と制御装置との間の送受信回数を低減させ容易に照明装置の制御に必要な装置情報を取得することが期待できる。【解決手段】実施形態の照明システム１は、通信部２３を搭載し、自身の識別情報およびデフォルトの調光レベル値を１つのパケットとして通信部２３から送信する照明装置２０と、照明装置２０と通信可能であり、照明装置２０から送信されたパケットを受信し、リストを作成する機能を有する制御装置１０とを備える。【選択図】図１
2019012596.tif 000002
【特許請求の範囲】
【請求項１】
通信部を搭載し、前記無線通信機から自身の識別情報およびデフォルトの調光レベル値を１つのパケットとして前記通信部から送信する照明装置と；
前記照明装置と通信可能であり、前記照明装置から送信された前記パケットを受信し、リストを作成する機能を有する制御装置と；
を具備したことを特徴とする照明システム。
【請求項２】
前記制御装置はスキャン操作が実行されることにより前記照明装置から送信された前記パケットを受信することを特徴とする請求項１に記載の照明システム。
【請求項３】
前記制御装置は前記照明装置の機種番号に対応した装置アイコンを記憶する記憶部と、
前記装置アイコンを表示する表示部と、を備え、
受信した前記識別情報に含まれる前記機種番号と、前記記憶部の前記装置アイコンを比較し、受信した前記機種番号に該当する装置アイコンを表示部に表示することを特徴とする請求項１および請求項２に記載の照明システム。
【請求項４】
光源部と；
自身の識別情報およびデフォルトの調光レベル値を１つのパケットとして送信する通信部と；
を具備したことを特徴とする照明装置。
【発明の詳細な説明】
【技術分野】
【０００１】
本発明の実施形態は、照明装置の明るさを制御できる照明システム、及び照明装置に関する。
【背景技術】
【０００２】
照明装置などを制御する制御装置には、無線で制御信号を照明装置へ送信し、照明装置を制御するものがある。制御装置は、照明装置から識別番号を受信し、照明装置と通信を確立する。
【０００３】
近年では、照明装置と制御装置との間で照明装置の名称やセキュリティ番号などの照明装置に関する情報を送受信し、受信した照明装置に関する情報を制御装置の表示画面に表示する照明システムがある（特許文献１参照）。
【０００４】
しかしながら、上述した照明システムは、制御装置と照明器具が接続した後も、制御装置が照明器具を制御するための情報を取得し表示するまでに複数回の送受信が必要となる。また、たとえば、美術館などの明るさが異なる複数台の照明装置を制御し操作する場合、各照明装置の初期の点灯状態を把握する必要があるが、上記した照明システムは、1台ずつに接続要求を行い制御に必要な情報を取得する必要があるため、さらに送受信回数が多くなり作業時間がかかる。
【先行技術文献】
【特許文献】
【０００５】
【特許文献１】特開２０１５−２１１３２２号公報
【発明の概要】
【発明が解決しようとする課題】
【０００６】
本発明が解決しようとする課題は、照明装置と制御装置との間の送受信回数を低減させ容易に照明装置の装置情報を取得することができる照明システムを提供する。
【課題を解決するための手段】
【０００７】
実施形態の照明システムは、通信部を搭載し、自身識別情報およびデフォルトの調光レベル値を１つのパケットとして通信部から送信する照明装置と、照明装置と通信可能であり、照明装置から送信されたパケットを受信し、リストを作成する機能を有する制御装置とを備える。
【発明の効果】
【０００８】
本発明によれば、照明装置と制御装置との間の送受信回数を低減させ容易に照明装置の制御に必要な装置情報を取得することが期待できる。
【図面の簡単な説明】
【０００９】
【図１】実施形態の照明システムの構成を示す図である。
【図２】実施形態の照明装置の構成例を示す図である。
【図３】実施形態の制御装置の構成例を示す図である。
【図４】実施形態のパケットの構成例を示す図である。
【図５】実施形態の制御装置の表示例を示す図である。
【図６】実施形態の制御装置の表示例を示す図である。
【図７】実施形態の制御装置の表示例を示す図である。
【図８】実施形態の照明システムの動作例を示すシーケンス図である。
【発明を実施するための形態】
【００１０】
以下、実施形態を図面を参照して説明する。
【００１１】
図１に示すように、照明システム１は、照明装置２０a、２０ｂ、２０ｃと、制御装置１０と、を具備する。照明システム１は、制御装置１０を用いて無線通信により、制御可能な照明装置などを制御するシステムである。たとえば、制御装置１０は、照明装置２０に制御信号を送信し、照明装置２０を制御する。また、制御装置１０は、照明装置２０をオン若しくはオフにし、又は、照明装置２０を調光する。照明システム１は、たとえば、住宅、オフィス、美術館又は商業施設などに設置される。
【００１２】
照明装置２０a乃至２０ｃは、無線通信を行う通信部２３を有し、通信部２３を介して自身の装置情報を制御装置１０へ送信する。また、制御装置１０から送信された制御信号を受信する。
【００１３】
制御装置１０は、通信部１５を有し照明装置２０ａ乃至２０ｃから送信された情報を受信する。また。照明装置２０ａ乃至２０ｃに対して制御信号を送信する。
【００１４】
照明装置２０a乃至２０ｃと制御装置１０との間の通信方式は、例えば、Bluetooth（登録商標）Low  Energy（以下、「ＢＬＥ」）などの無線通信方式である。
【００１５】
次に、照明装置２０a乃至２０ｃの構成例を説明する。照明装置２０ａ乃至２０ｃは、同様の構成であるため、照明装置２０として説明する。
【００１６】
図２は、照明装置２０の構成例を示す図である。
【００１７】
図２が示すように、照明装置２０は、ＣＰＵ２１、メモリ部２２、通信部２３及び点灯部２４などを備える。これらの各部は、データバスを介して互いに接続されている。なお、照明装置２０は、図２が示すような構成の他に必要に応じた構成を具備したり、特定の構成を除外したりしてもよい。
【００１８】
ＣＰＵ２１（制御部）は、照明装置２０全体の動作を制御する機能を有する。ＣＰＵ２１は、内部キャッシュおよび各種のインターフェースなどを備えても良い。ＣＰＵ２１は、内部メモリ又はメモリ部２２に予め記憶したプログラムを実行することにより種々の処理を実現する。ＣＰＵ２１は、たとえば、プロセッサである。
【００１９】
メモリ部２２（記憶部）は、揮発性メモリ及び不揮発性メモリなどから構成される。たとえば、メモリ部２２は、予め制御用のプログラム及び制御データなどを格納する。また、メモリ部２２は、ＣＰＵ２１の処理中のデータなどを一時的に格納する。メモリ部２２は、自身を示す識別情報を格納する。識別情報は、照明装置２０を特定する情報である。たとえば、識別情報は、ＭＡＣアドレスなどの固有アドレスである。メモリ部２２は、製造時において識別情報を格納してもよい。
【００２０】
また、メモリ部２２は照明装置の機種を表す機種番号を格納する。機種番号は照明装置の機種を表す番号であり、たとえばスポットライトやシーリングライトなど各々の機種に共通した番号が付けられる。
【００２１】
メモリ部２２は、製造時において機種番号を格納してもよい。
【００２２】
また、メモリ部２２は、自身の装置名称を格納する。たとえば、装置名称は、システムフォーマットに沿った名称である。メモリ部２２は、製造時において装置名称を格納してもよい。また、メモリ部２２は、ユーザーの操作に従って装置名称を適宜更新してもよい。
【００２３】
また、メモリ部２２は、自身の照明制御に関するデフォルトの調光レベル値を格納する。ここでは、デフォルトの調光レベルとは、照明装置２０に電力が投入された場合の初期の点灯状態のことであり、最大調光レベルを１００とした場合に調光レベルを示す割合である。
【００２４】
通信部２３（送受信部）は、無線通信で制御装置１０とデータを送受信するためのインターフェースである。通信部２３は、たとえば、Ｂｌｕｅｔｏｏｔｈ接続をサポートするインターフェースである。ここでは、通信部２３は、ＢＬＥ通信をサポートするものとする。
【００２５】
通信部２３は、照明装置２０に電源が投入されると装置情報としてメモリ部２２に格納された固有アドレス、機種番号、装置名称、デフォルトの調光レベル値を一つのパケット通信として、制御装置１０と通信が確立するまで所定の間隔で発信し続ける。
【００２６】
点灯部２４は、ＣＰＵ２１からの信号に基づいて発光する。また、点灯部２４は、ＣＰＵ２１からの信号に基づいて調光する。点灯部２４は、たとえば、図示されない電源部から電力の供給を受けて発光する。点灯部２４は、たとえば、白熱電球、蛍光灯、又は、ＬＥＤなどから構成される。
【００２７】
次に、制御装置１０の構成例について説明する。
【００２８】
図３は、制御装置１０の構成例を示すブロック図である。
【００２９】
図３が示す構成例において、制御装置１０は、基本的な構成として、ＣＰＵ１１、ＲＯＭ１２、ＲＡＭ１３、ＮＶＭ１４、通信部１５、操作部１６及び表示部１７などを備える。これらの各部は、データバスを介して互いに接続されている。なお、制御装置１０は、図３が示すような構成の他に必要に応じた構成を具備したり、特定の構成を除外したりしてもよい。
【００３０】
ＣＰＵ１１（プロセッサ）は、制御装置１０全体の動作を制御する機能を有する。ＣＰＵ１１は、内部キャッシュおよび各種のインターフェースなどを備えても良い。ＣＰＵ１１は、内部メモリ、ＲＯＭ１２又はＮＶＭ１４が予め記憶するプログラムを実行することにより種々の処理を実現する。
【００３１】
なお、ＣＰＵ１１がプログラムを実行することにより実現する各種の機能のうちの一部は、ハードウエア回路により実現されるものであっても良い。この場合、ＣＰＵ１１は、ハードウエア回路により実行される機能を制御する。
【００３２】
ＲＯＭ１２は、予め制御用のプログラム及び制御データなどが記憶された不揮発性のメモリである。ＲＯＭ１２に記憶される制御プログラム及び制御データは、予め制御装置１０の仕様に応じて組み込まれる。ＲＯＭ１２は、たとえば、制御装置１０の回路基板を制御するプログラム（例えば、ＢＩＯＳ）などを格納する。
【００３３】
ＲＡＭ１３は、揮発性のメモリである。ＲＡＭ１３は、ＣＰＵ１１の処理中のデータなどを一時的に格納する。ＲＡＭ１３は、ＣＰＵ１１からの命令に基づき種々のアプリケーションプログラムを格納する。また、ＲＡＭ１３は、アプリケーションプログラムの実行に必要なデータ及びアプリケーションプログラムの実行結果などを格納してもよい。
【００３４】
ＮＶＭ１４（記憶部）は、データの書き込み及び書き換えが可能な不揮発性のメモリである。ＮＶＭ１４は、例えば、ハードディスク、ＳＳＤ、ＥＥＰＲＯＭ（登録商標）又はフラッシュメモリなどにより構成される。ＮＶＭ１４は、制御装置１０の運用用途に応じて制御プログラム、アプリケーション、及び種々のデータを格納する。
【００３５】
通信部１５は、無線通信で照明装置２０ａ乃至２０ｃとデータを送受信するためのインターフェースである。通信部１５は、たとえば、Ｂｌｕｅｔｏｏｔｈ接続をサポートするインターフェースである。ここでは、通信部１５は、ＢＬＥ通信をサポートするものとする。
【００３６】
操作部１６は、制御装置１０の操作者によって、種々の操作指示が入力される。操作部１６は、操作者に入力された操作指示の信号をＣＰＵ１１へ送信する。操作部１６は、たとえば、キーボード、テンキー、及び、タッチパネルなどである。
【００３７】
表示部１７は、ＣＰＵ１１の制御により種々の情報を表示する表示装置である。表示部１７は、たとえば、液晶モニタなどである。なお、操作部１６がタッチパネルなどで構成される場合、表示部１７は、操作部１６と一体的に形成されてもよい。
【００３８】
ここでは、操作部１６は、タッチパネルから構成され、表示部１７と一体的に形成されるものとする。
【００３９】
次に照明装置２０と制御装置１０との間の通信が確立する流れを説明する。
【００４０】
図４にパケットの構成を示す。照明装置２０a乃至２０ｃに電力が供給されると、照明装置２０a乃至２０ｃのＣＰＵ２１は、メモリ部２２から図４に示すように自身の固有アドレス、機種番号、装置名称、デフォルトの調光レベル値が１つになったパケットを呼び出し、通信部２３から所定の間隔で発信するとともに、デフォルトの調光レベル値で点灯部２４を点灯制御する。パケットが通信部２３から発信される間隔は、たとえば２０ｍｓ〜４ｓ間隔であり、ＣＰＵが１１パケットを処理する時間よりも長い間隔で発信される。なお、ここで一つのパケットに含まれる装置情報は少なくとも自身の識別情報およびデフォルトの調光レベル値を含み、機種番号および装置名称が含まれない態様も許容される。また、自身の識別情報およびデフォルトの調光レベル値の他に、機種番号、装置名称、またはその他の情報が１つのパケットに付加されてもよい。
【００４１】
照明装置２０a乃至２０ｃは制御装置と通信が確立するまでパケットを発信し続ける。
【００４２】
次に、制御装置１０を照明装置２０a乃至２０ｃと通信可能な距離に近づけ、通信部１５を通じて、照明装置２０が発信するパケットをスキャンする操作を受け付ける。
【００４３】
図５は、パケットをスキャンする操作を受け付けるために表示部１７に表示する画面の例である。図５が示すように、ＣＰＵ１１は、表示部１７の下部に、スキャンアイコン３１を表示する。スキャンアイコン３１は、スキャンする操作を受け付けるアイコンである。
【００４４】
ユーザーは、スキャンアイコン３１をタップして、スキャン操作を実行する。
【００４５】
ＣＰＵ１１は、スキャン操作が実行されると、通信部１５を通じたパケットの受信を開始する。
【００４６】
ＣＰＵ１１は、通信部１５を通じてパケットを受信し、パケットに含まれる照明装置２０の固有アドレス、機種番号、装置名称、デフォルトの調光レベル値を格納する。
【００４７】
ＣＰＵ１１は、少なくとも自身の識別情報およびデフォルトの調光レベル値を含むパケットを受信した場合、取得できた照明装置２０のリストを作成し表示部１７に表示する機能を有する。
【００４８】
照明装置２０は、電力が供給されると少なくとも自身の識別情報およびデフォルトの調光レベル値を１つのパケットとして発信するため、制御装置１０が照明装置２０の情報を１度の通信でまとめて取得することができるとともに、照明装置２０の初期状態を把握することができ、容易に照明装置２０の制御に必要な装置情報を得ることができる。そのため、デフォルトの調光レベル値が異なる照明装置２０が設置された場合でも、少ない送受信回数で照明装置２０の初期状態を取得し表示することにより、ユーザーが短い時間で照明装置２０の状態を把握することができるため制御が容易となる。
【００４９】
さらに、照明装置２０から発信されるパケットに機種番号および器具名称が含まれている場合、ＣＰＵ１１は、図６に示すように装置名称および装置アイコンを表示部１７に表示する。
【００５０】
装置名称は、パケットに含まれる装置名称を表示するものである。また、装置アイコンを表示する場合、ＣＰＵ１１は、受信したパケットに含まれる機種番号とＲＯＭ１２に記憶された機種番号に対応した装置アイコンを比較し、受信した機種番号に該当する装置アイコンを表示部１７に表示する。ここでは、受信した機種番号がスポットライトに該当するため装置アイコンはスポットライトを表すアイコンとなる。
【００５１】
本実施形態では、図６が示すように、ＣＰＵ１１は、表示部１７に、照明装置２０の機種を示す装置アイコン、照明装置２０の装置名称、デフォルトの調光レベル値を示すテーブル３２を表示する。
【００５２】
図６が示す例では、テーブル３２において、各照明装置に対応する複数のセル３３を有し、各セル３３には照明装置２０の機種を示すアイコンと、照明装置２０の装置名称として「照明器具」、デフォルトの調光レベル値として「１００」が表示される。
【００５３】
また、ＣＰＵ１１は、リストを作成した照明装置２０と通信を確立する機能を有する。図６が示す例では、ＣＰＵ１１は、セル３３に対するタップを、セル３３が表示する照明装置２０と通信を確立する操作として受け付ける。たとえば、ＣＰＵ１１は、操作部１６を通じて照明装置２０と通信を確立する操作を受け付ける。
【００５４】
ＣＰＵ１１は、当該操作を受け付けると、当該操作に従って通信部１５を通じて照明装置２０へ接続要求を送信する。ＣＰＵ１１は、照明装置２０から接続要求に対するＡＣＫ応答を受信するまで待機する。ＣＰＵ１１は、ＡＣＫ応答を受信することで、照明装置２０と通信を確立する。
【００５５】
ここで、照明装置２０と制御装置１０との通信が確立すると照明装置２０はパケットの発信をやめる。
【００５６】
制御装置１０は、照明装置２０との通信が確立すると表示部１７に図７に示すようにテキストボックス３４、フレーム３５a、フレーム３５ｂ、アイコン３７などを表示する。
【００５７】
テキストボックス３４は、照明機器２０の名称を表示する。                        
【００５８】
フレーム３５aは、現在の調光レベル値を表示する。
【００５９】
フレーム３５ｂは、デフォルトの調光レベル値を表示する。
【００６０】
アイコン３７は、調光レベルの入力を受け付ける。たとえば、アイコン３７は、光量を上げるアイコン及び光量を下げるアイコンを備える。また、アイコン３７は、調光レベルを示すメータを備えてもよい。
【００６１】
例えば、ユーザーが照明装置２０の光量を変更する場合、表示部１７のアイコン３７をタップすることにより制御装置１０から照明装置２０へ調光レベル変更信号が送信され、受信した照明装置２０は点灯部２４の光量を変更する。
【００６２】
次に、照明システム１の動作例について説明する。  
【００６３】
図８は、照明システム１が制御装置１０と照明装置２０との接続を確立する動作例を説明するためのシーケンス図である。簡略化のため、図８は、制御装置１０、照明装置２０ａ及び照明装置２０ｂの動作例を示す。また、照明装置２０ａは、ＣＰＵ２１ａ、メモリ部２２ａ、通信部２３ａ及び点灯部２４ａなどを備えるものとする。また、照明装置２０ｂは、ＣＰＵ２１ｂ、メモリ部２２ｂ、通信部２３ｂ及び点灯部２４ｂなどを備えるものとする。
【００６４】
まず、照明装置２０ａおよび２０ｂに電源が供給されるとＣＰＵ２１ａ、２１ｂは、通信部２３ａ、２３ｂを通じて自身の固有アドレス、機種番号、装置名称およびデフォルトの調光レベル値を１つのパケットとして発信を開始する（Ｓ１）。
【００６５】
制御装置１０のＣＰＵ１１は、たとえば、ＣＰＵ１１は、ユーザーからの操作に基づいて通信部１５を通じてパケットのスキャンを開始する（Ｓ２）。
【００６６】
スキャンを開始すると、ＣＰＵ１１は、受信したパケットに含まれる機種番号、装置名称、デフォルトの調光レベル値からリストを作成し表示部１７に表示する（Ｓ３）。
【００６７】
表示部１７に表示すると、ＣＰＵ１１は、通信部１５を通じて接続要求を照明装置２０ａ、２０ｂに送信する（Ｓ４）。
【００６８】
照明装置２０ａ、２０ｂは通信部２３a、２３ｂを通じて制御装置からの接続要求を受信すると、パケットの発信を停止する（Ｓ５）。
【００６９】
そして、通信部２３ａ、２３ｂを通じてＡＣＫ応答を制御装置１０へ送信する（Ｓ６）。
【００７０】
制御装置１０のＣＰＵ１１は、通信部１５を通じてＡＣＫ応答を受信すると接続モードで動作する。また照明機器２０ａ、２０ｂのＣＰＵ２１ａ、２１ｂは、通信部１５を通じてＡＣＫ応答を制御装置１０へ送信すると、接続モードで動作する（Ｓ７）。
【００７１】
接続後、制御装置１０は、照明装置２０a、２０ｂの調光、オンオフ制御が可能となる。照明システム１は、以上の動作によって制御装置１０と照明装置２０ａ、２０ｂとの間の通信を確立する。
【００７２】
上記のように、照明装置２０は、自身の固有アドレス、機種番号、装置名、デフォルトの調光レベル値を１つのパケット通信として発信することにより、制御装置１０は照明器具２０の情報を１度の通信でまとめて取得することができるため、照明装置２０に電力が供給されてからリスト作成までの送受信回数が少なく短い時間でリスト作成が出来る。また、装置アイコン、装置名、デフォルトの調光レベル値をリストに表示することにより、機種の異なる複数の照明装置が設置された場所でも、ユーザーが制御対象を視覚的に把握することができるとともに制御対象のデフォルトの調光レベル値を把握することができるため、ユーザーは照明装置２０の制御が容易になる。また、制御装置１０はスキャンにより照明装置２０から発信されたパケットを受信しリスト表示するため、制御対象の照明装置２０を選択できる。たとえば、操作対象としない照明装置２０から発信されたパケットをスキャンしないことでリストに表示しないことができる。
【００７３】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１       照明システム
１０     制御装置
２０     照明装置
【図１】
2019012596.tif 000003
【図２】
2019012596.tif 000004
【図３】
2019012596.tif 000005
【図４】
2019012596.tif 000006
【図５】
2019012596.tif 000007
【図６】
2019012596.tif 000008
【図７】
2019012596.tif 000009
【図８】
2019012596.tif 000010